(57)【要約】【課題】早送りおよび早戻し時の速度を所望の速度へ素早く変更すること。【解決手段】再生装置１のボタン入力手段３２は、ユーザにより操作される早送りボタン４４および／または早戻しボタン４３とともに、０から９までの各数字を入力するための複数の数字ボタン４６からなるテンキーユニット４５を有する。制御手段６１は、早送りボタン４４および／または早戻しボタン４３の操作に基づく早送りおよび／または早戻しの動作中に数字ボタン４６が操作された場合、その操作された数字ボタン４６に予め対応付けられた所定の速度での早送りおよび／または早戻しの動作を指示する。【選択図】図４
2007128604.tif 000002
【特許請求の範囲】
【請求項１】
ユーザにより操作される早送りボタンおよび／または早戻しボタンとともに、０から９までの各数字を入力するための複数の数字ボタンからなるテンキーユニットを有するボタン入力手段と、
上記早送りボタンおよび／または早戻しボタンの操作に基づく早送りおよび／または早戻しの動作中に上記数字ボタンが操作された場合、その操作された数字ボタンに予め対応付けられた所定の速度での早送りおよび／または早戻しの動作を指示する制御手段と、
を有することを特徴とする再生装置。
【請求項２】
前記所定の速度は、１から９までの前記数字ボタンの中の少なくとも１つのボタンに対応付けられ、
前記制御手段は、早送りおよび／または早戻しの動作中に０の前記数字ボタンが操作された場合、再生動作を指示することを特徴とする請求項１記載の再生装置。
【請求項３】
前記制御手段は、早送り動作中に前記早戻しボタンが操作された場合、所定の速度での早戻し動作を指示し、および／または、早戻しの動作中に前記早送りボタンが操作された場合、所定の速度での早送り動作を指示することを特徴とする請求項１記載の再生装置。
【請求項４】
当該再生装置は、ディスクに記録されたコンテンツを再生する装置であり、
ディスクの早送りあるいは早戻し動作中に、ディスクから読み出したコンテンツを再生する再生手段を有することを特徴とする請求項１から３の中のいずれか１項記載の再生装置。
【請求項５】
前記ディスクの早送りおよび／または早戻しの複数の速度に関する値を、前記複数の数字ボタンと１対１に対応付けて保持する速度テーブルを記憶する記憶手段を有し、
前記制御手段は、早送りおよび／または早戻しの動作中に前記数字ボタンが操作されたら、上記速度テーブルから、その操作された数字ボタンに対応付けられている速度に関する値を読み込み、その読み込んだ値に応じた速度での早送りおよび／または早戻しの動作を指示すること、
を特徴とする請求項１から４の中のいずれか１項記載の再生装置。
【請求項６】
前記速度テーブルにおいて、複数の速度に関する値は、対応する数字ボタンの数値が大きくなるほど速度が大きくなる順番で、複数の数字ボタンに対応付けられ、
前記制御手段は、前記速度テーブルにおいて、現在の速度から、操作された数字ボタンに対応する速度までの速度に関する値を、前記速度テーブルから１つずつ順番に読み込み、その読み込みの度に、読み込んだ速度での早送りおよび／または早戻しの動作を指示すること、
を特徴とする請求項５記載の再生装置。
【請求項７】
ユーザにより操作される早送りボタンおよび／または早戻しボタンとともに、０から９までの各数字を入力するための複数の数字ボタンからなるテンキーユニットを有するボタン入力手段における上記早送りボタンおよび／または早戻しボタンの操作に基づく早送りおよび／または早戻しの動作中に上記数字ボタンの操作を検出するステップと、
その操作された数字ボタンに予め対応付けられた所定の速度での早送りおよび／または早戻しの動作を指示するステップと、
を有することを特徴とする再生装置制御方法。
【発明の詳細な説明】
【技術分野】
【０００１】
本発明は、再生装置および再生装置制御方法に関する。
【背景技術】
【０００２】
この光ディスク装置は、スピンドルモータにより光ディスクを回転し、光ピックアップにより光ディスクからデジタルデータを読み取りそのデジタルデータを変換したアナログ再生信号を出力する（例えば特許文献１参照）。そして、そのアナログ再生信号からデジタルデータが抽出される。
【０００３】
このような光ディスク装置には、可変速早送り機能や可変速早戻し機能を有するものがある。この可変速早送り機能や可変速早戻し機能では、早送りボタンや早戻しボタンの操作回数に応じて、早送り速度や早戻し速度が変化する。たとえば、５段階の可変速早送り機能では、早送りボタンが操作される度に、早送り速度が１から５へ１段ずつ上がり、６回の操作がなされたら、第１段の早送り速度に戻すように切り替える。これにより、早送りボタンの操作回数により、早送り速度を変更することができる。
【０００４】
【特許文献１】特願２００５−７８６６９号公報（発明を実施するための最良の形態、図面など）
【発明の開示】
【発明が解決しようとする課題】
【０００５】
しかしながら、このように早送りボタンや早戻しボタンの操作回数に応じて速度が変化する場合、ユーザは、所望の速度へ変化させるためには、早送りボタンや早戻しボタンを何度も操作しなければならないことがある。たとえば、現在が１段目の速度である場合において、５段目の速度にしたいときには、早送りボタンを４回操作しなければならない。そのため、所望の速度へ素早く変化させることは面倒であり、ユーザが速度を素早く変更したいときには不便に感じてしまう可能性がある。
【０００６】
本発明は、早送りおよび早戻し時の速度を所望の速度へ素早く変更することができる再生装置および再生装置制御方法を得ることを目的とする。
【課題を解決するための手段】
【０００７】
本発明に係る再生装置は、ユーザにより操作される早送りボタンおよび／または早戻しボタンとともに、０から９までの各数字を入力するための複数の数字ボタンからなるテンキーユニットを有するボタン入力手段と、早送りボタンおよび／または早戻しボタンの操作に基づく早送りおよび／または早戻しの動作中に数字ボタンが操作された場合、その操作された数字ボタンに予め対応付けられた所定の速度での早送りおよび／または早戻しの動作を指示する制御手段と、を有するものである。
【０００８】
本発明に係る再生装置は、上述した発明の構成に加えて、所定の速度が、１から９までの数字ボタンの中の少なくとも１つのボタンに対応付けられ、制御手段が、早送りおよび／または早戻しの動作中に０の数字ボタンが操作された場合、再生動作を指示するものである。
【０００９】
本発明に係る再生装置は、上述した発明の各構成に加えて、制御手段が、早送り動作中に早戻しボタンが操作された場合、所定の速度での早戻し動作を指示し、および／または、早戻しの動作中に早送りボタンが操作された場合、所定の速度での早送り動作を指示するものである。
【００１０】
本発明に係る再生装置は、上述した発明の各構成に加えて、当該再生装置が、ディスクに記録されたコンテンツを再生する装置であり、ディスクの早送りあるいは早戻し動作中に、ディスクから読み出したコンテンツを再生する再生手段を有するものである。
【００１１】
本発明に係る再生装置は、上述した発明の各構成に加えて、ディスクの早送りおよび／または早戻しの複数の速度に関する値を、複数の数字ボタンと１対１に対応付けて保持する速度テーブルを記憶する記憶手段を有し、制御手段が、早送りおよび／または早戻しの動作中に数字ボタンが操作されたら、速度テーブルから、その操作された数字ボタンに対応付けられている速度に関する値を読み込み、その読み込んだ値に応じた速度での早送りおよび／または早戻しの動作を指示するものである。
【００１２】
本発明に係る再生装置は、上述した発明の各構成に加えて、速度テーブルにおいて、複数の速度に関する値が、対応する数字ボタンの数値が大きくなるほど速度が大きくなる順番で、複数の数字ボタンに対応付けられ、制御手段が、速度テーブルにおいて、現在の速度から、操作された数字ボタンに対応する速度までの速度に関する値を、速度テーブルから１つずつ順番に読み込み、その読み込みの度に、読み込んだ速度での早送りおよび／または早戻しの動作を指示するものである。
【００１３】
本発明に係る再生装置制御方法は、ユーザにより操作される早送りボタンおよび／または早戻しボタンとともに、０から９までの各数字を入力するための複数の数字ボタンからなるテンキーユニットを有するボタン入力手段における早送りボタンおよび／または早戻しボタンの操作に基づく早送りおよび／または早戻しの動作中に数字ボタンの操作を検出するステップと、その操作された数字ボタンに予め対応付けられた所定の速度での早送りおよび／または早戻しの動作を指示するステップと、を有するものである。
【発明の効果】
【００１４】
本発明によれば、早送りおよび早戻し時の速度を所望の速度へ素早く変更することができる。
【発明を実施するための最良の形態】
【００１５】
以下、本発明の実施の形態に係る再生装置を、図面に基づいて説明する。なお、再生装置は、光ディスクに記録されたコンテンツを再生する光ディスク再生装置を例として説明する。
【００１６】
図１は、本発明の実施の形態に係る光ディスク再生装置１を示すハードウェア構成図である。光ディスク再生装置１は、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）などの光ディスク２を回転駆動し、この光ディスク２に記録されたデータを読み取ってそのデータに基づく再生信号を出力するものである。なお、光ディスク２にはこの他にもたとえば、ミニディスク（ＭＤ；Ｍｉｎｉ  Ｄｉｓｋ）、ＭＯディスク（Ｍａｇｎｅｔｏ  Ｏｐｔｉｃａｌ  ｄｉｓｋ）などがある。
【００１７】
光ディスク再生装置１は、チャック１１と、スピンドルモータ１２と、スピンドルモータ１２の回転速度を制御するスピンドルサーボ制御部１３と、を有する。チャック１１には、光ディスク２の中心穴が嵌め合わされる。スピンドルサーボ制御部１３は、スピンドルモータ１２を駆動し、チャック１１および光ディスク２を所定の速度で回転駆動する。なお、ＤＶＤ用の光ディスク再生装置１は、ＤＶＤの再生速度の数倍、たとえば１８倍程度の早い速度での読出しが可能な速度で光ディスク２を回転駆動する。
【００１８】
また、光ピックアップ１４は、チャック１１に装着された光ディスク２へレーザー光を照射し、その反射光の強度に応じて信号レベルが変化する光読取信号を生成する。
【００１９】
光ピックアップ１４は、駆動ユニット１５により保持される。駆動ユニット１５は、光ピックアップ１４を、光ディスク２の半径方向に沿って移動可能に保持する。ピックアップサーボ制御部１６は、駆動ユニット１５を介して、光ピックアップ１４の位置および姿勢（たとえば光ディスク２に対する傾きなど）を制御する。
【００２０】
光ピックアップ１４が生成する光読取信号は、信号生成回路１７へ入力される。信号生成回路１７は、光読取信号に基づいて、読取波形信号と、ＦＥ（フォーカスエラー）信号と、ＴＥ（トラッキングエラー）信号とを生成する。
【００２１】
ＤＶＤなどの光ディスク２には、ＥＦＭ（Ｅｉｇｈｔ  ｔｏ  Ｆｏｕｒｔｅｅｎ  Ｍｏｄｕｌａｔｉｏｎ）データに応じたパターンが形成される。ＥＦＭデータは、８ビットのＲＦ（Ｒａｄｉｏ  Ｆｒｅｑｕｅｎｃｙ）データを１４ビットに拡張するように符号化して得られるデータである。光ディスク２に形成されるデータのパターンは、たとえばＥＦＭデータの各ビットの値に応じたパターンの繰り返しにより形成される。光ピックアップ１４が生成する光読取信号には、このデータパターンに基づく波形成分が含まれる。信号生成回路１７は、光読取信号から、このＥＦＭデータに基づく波形成分を有する読取波形信号を生成する。
【００２２】
ＦＥ信号は、光ピックアップ１４の光ディスク２への照射光が合焦する合焦距離と、実際の光ピックアップ１４と光ディスク２との距離との誤差を示す信号である。ＴＥ信号は、読み取り中の光ディスク２のトラックの中心位置と光スポットの位置との誤差を示す信号である。
【００２３】
信号生成回路１７が生成する読取波形信号、ＦＥ信号およびＴＥ信号は、信号処理部１８へ出力される。信号処理部１８は、位相補償回路２１、コンパレータ２２、再生手段としての復調回路２３、ＰＬＬ（Ｐｈａｓｅ  Ｌｏｃｋｅｄ  Ｌｏｏｐ）回路２４などを有する。
【００２４】
位相補償回路２１は、信号生成回路１７からのＦＥ信号およびＴＥ信号に基づいて、ピックアップサーボ制御部１６へ、光ピックアップ１４の光ディスク２に対する位置および傾きの補正信号を生成する。位相補償回路２１は、データパターンに対する光ディスク２の相対位置が、一定値以上ずれたら、それを補正する位置および傾きの補正信号を生成する。ピックアップサーボ制御部１６は、この補正信号に基づいて、光ピックアップ１４の位置および姿勢を調整する。
【００２５】
コンパレータ２２は、信号生成回路１７からの読取波形信号のレベルを所定の閾値を基準として判別し、デジタル的にレベルが変化する読取データ信号を生成する。
【００２６】
ＰＬＬ回路２４は、この読取データ信号の周期と所定の周期との差を打ち消すように補正される基準クロック信号を生成し、スピンドルサーボ制御部１３へ出力する。スピンドルサーボ制御部１３は、この基準クロック信号に従った速度で、スピンドルモータ１２の駆動を制御する。これにより、読取データ信号の周期は、所定の周期となるように制御される。
【００２７】
また、復調回路２３は、読取データ信号から、ＥＦＭデータに基づく波形成分を抽出し、さらに抽出したＥＦＭデータの波形成分から、その元となるＲＦデータの波形成分を生成する。これにより、光ディスク２にＥＦＭデータに応じたパターンとして記録されていたＲＦデータが復調される。
【００２８】
また、再生信号生成部１９は、信号処理部１８の復調回路２３により生成されたＲＦデータから映像と音声の再生信号とを生成する。映像の再生信号は、モニタ３へ供給される。モニタ３には、映像の再生信号に基づく画像が表示される。また、音声の再生信号は、スピーカ４へ供給される。スピーカ４は、音声の再生信号に応じた音を出力する。
【００２９】
以上のような光ディスク２の再生機構の動作を制御するために、光ディスク再生装置１は、制御部２０を有する。図２は、図１中の制御部２０の詳細な構成を示すハードウェア構成図である。制御部２０は、表示パネル３１、ボタン入力手段としてのキー入力部３２、記憶手段としてのメモリ３３、ＲＡＭ（Ｒａｎｄｏｍ  Ａｃｃｅｓｓ  Ｍｅｍｏｒｙ）３４、ＣＰＵ（Ｃｅｎｔｒａｌ  Ｐｒｏｃｅｓｓｉｎｇ  Ｕｎｉｔ）３５、入出力ポート３６、システムバス３７などを有する。入出力ポート３６には、駆動ユニット１５、信号処理部１８、再生信号生成部１９などが接続される。
【００３０】
表示パネル３１は、光ディスク再生装置１の動作状態などを表示する。光ディスク再生装置１の動作状態には、たとえば再生モード、停止モード、早送りモード、早戻しモードなどがある。再生モードは、光ディスク２に記録されるコンテンツを再生するモードである。停止モードは、光ディスク２に記録されるコンテンツを再生しないモードである。早送りモードは、光ディスク２に記録されるコンテンツを再生速度より速い速度で再生するモードである。早戻しモードは、光ディスク２に記録されるコンテンツを逆順に速い速度で再生するモードである。表示パネル３１は、これらの実行モードに応じた表示をする。
【００３１】
キー入力部３２は、再生ボタン４１、停止ボタン４２、ＦＢ（Ｆｅｅｄ  Ｂａｃｋ：早戻し）ボタン４３、ＦＦ（Ｆｅｅｄ  Ｆｏｒｗａｒｄ：早送り）ボタン４４を有する。キー入力部３２は、この他にも、テンキーユニット４５を有する。テンキーユニット４５は、０から９までの各数字を入力するための１０個の数字ボタン４６からなる。キー入力部３２は、操作されたボタンに応じた入力データを生成する。
【００３２】
メモリ３３は、たとえばＲＯＭ（Ｒｅａｄ  Ｏｎｌｙ  Ｍｅｍｏｒｙ）、ハードディスクドライブなどの記録媒体で構成され、速度テーブルとしてのＦＦ／ＦＢ速度テーブル５１、処理制御プログラム５２などを記憶する。
【００３３】
図３は、図２中のＦＦ／ＦＢ速度テーブル５１のデータ構造を示す説明図である。ＦＦ／ＦＢ速度テーブル５１は、早送り（ＦＦ）および早戻し（ＦＢ）の速度につき９つの速度値を有する。この速度値は、光ディスク２において連続して記録されるコンテンツの早送り速度および早戻し速度を指定する値である。９つの速度値は、数字ボタン４６の数値が大きくなるほど、速度値が大きくなる順番にて、９つの数字ボタン４６に対応付けられている。なお、早送り中および早戻し中にコンテンツを再生する場合には、この速度値による速度が再生速度にもなる。
【００３４】
たとえば、数字の値と速度値が比例関係になるように、「１」の数字ボタン４６には、速度値「２」が対応付けられ、「２」の数字ボタン４６には、速度値「４」が対応付けられ、「３」の数字ボタン４６には、速度値「６」が対応付けられ、「４」の数字ボタン４６には、速度値「８」が対応付けられ、「５」の数字ボタン４６には、速度値「１０」が対応付けられ、「６」の数字ボタン４６には、速度値「１２」が対応付けられ、「７」の数字ボタン４６には、速度値「１４」が対応付けられ、「８」の数字ボタン４６には、速度値「１６」が対応付けられ、「９」の数字ボタン４６には、速度値「１８」が対応付けられればよい。
【００３５】
なお、ＦＦ／ＦＢ速度テーブル５１において、複数の数字ボタン４６に対応付けられる速度に関する値は、速度値以外の値であってもよい。早送り中および早戻し中にコンテンツを再生する場合には、たとえば、高速再生時に間引くフレームの数を指定するフレームジャンプ幅や、抜かすＧＯＰ（Ｇｒｏｕｐ  Ｏｆ  Ｐｉｃｔｕｒｅｓ）の数を示すＧＯＰジャンプ幅などを速度に関する値として使用してもよい。
【００３６】
処理制御プログラム５２がＲＡＭ３４に読み込まれてＣＰＵ３５により実行されることで、図４に示すように、光ディスク再生装置１には、制御手段としての処理制御部６１が実現される。図４は、図１の光ディスク再生装置１に実現される機能を示すブロック図である。処理制御部６１は、入出力ポート３６を介して駆動ユニット１５、信号処理部１８、再生信号生成部１９などへ制御信号を出力する。また、処理制御部６１は、実行モード情報６２をＲＡＭ３４に記憶させる。なお、実行モード情報６２は、メモリ３３に記憶するようにしてもよい。
【００３７】
次に、以上の構成を有する図１に係る光ディスク再生装置１の動作を説明する。
【００３８】
図５は、キー入力部３２が生成する入力データに基づく処理制御部６１の動作を示すフローチャートである。
【００３９】
処理制御部６１は、まず、キー入力部３２からの入力データの有無に基づいて、キー入力の有無を判断する（ステップＳＴ１）。入力データが無い場合、処理制御部６１は、キー入力の有無の判断を繰り返し実行する。
【００４０】
キー入力部３２が入力データを生成すると、処理制御部６１は、その入力データに基づいて操作されたボタンの種類を判断する（ステップＳＴ２〜ＳＴ４）。
【００４１】
再生ボタン４１が操作された場合、キー入力部３２は、再生ボタン４１に対応する入力データを生成する。処理制御部６１は、ステップＳＴ２において、操作された入力ボタンが再生ボタン４１であると判断し、ステップＳＴ５〜ＳＴ７で再生制御を実行する。
【００４２】
再生制御では、処理制御部６１は、まず、駆動ユニット１５、信号処理部１８および再生信号生成部１９に起動を指示する。また、処理制御部６１は、駆動ユニット１５に再生するトラックを指定する（ステップＳＴ５）。これにより、実行モードが再生モードとなる。
【００４３】
起動が指示されると、スピンドルサーボ制御部１３は、光ディスク２を回転させ、信号処理部１８のＰＬＬ回路２４が生成する基準クロック信号により光ディスク２の回転速度を微調整し、光ディスク２を所定の回転速度で安定して回転駆動する。駆動ユニット１５は、光ピックアップ１４を指定されたトラックを読み取る位置へ移動し、信号処理部１８の位相補償回路２１が生成する補正信号に基づいて、光ピックアップ１４の位置や傾きを微調整する。
【００４４】
これにより、光ピックアップ１４は、指定されたトラックのパターンに応じた光読取信号を出力する。信号生成回路１７は、その光読取信号に対応する読取波形信号を生成する。コンパレータ２２は、その読取波形信号に対応する読取データ信号を生成する。復調回路２３は、この読取データ信号から、指定されたトラックにパターンとして記録されていたＥＦＭデータを抽出し、ＲＦデータを復調する。
【００４５】
ＲＦデータが生成されると、再生信号生成部１９は、再生信号の生成を開始する。再生モードでは、再生信号生成部１９は、ＲＦデータによるコンテンツのフレームをすべて再生する映像の再生信号と、音声の再生信号とを生成する。
【００４６】
映像の再生信号は、モニタ３へ供給される。モニタ３には、映像の再生信号に基づいて、光ディスク２に記録されたコンテンツが表示される。また、音声の再生信号は、スピーカ４へ供給される。スピーカ４は、音声の再生信号に応じて、光ディスク２に記録されたコンテンツの音を出力する。たとえば、光ディスク２に動画および音声からなるコンテンツが記録されている場合、再生モードでは、モニタ３には、その動画がそのまま表示され、スピーカ４からはその音声がそのまま出力される。
【００４７】
他方、駆動ユニット１５、信号処理部１８および再生信号生成部１９に起動を指示した後、処理制御部６１は、表示パネル３１の表示を、再生モードに対応した表示に更新する（ステップＳＴ６）。なお、処理制御部６１は、表示パネル３１の表示更新処理を、起動指示前に実行してもよい。
【００４８】
表示パネル３１の表示を更新した後、処理制御部６１は、ＲＡＭ３４に記憶される実行モード情報６２を、「再生モード」に更新する（ステップＳＴ７）。
【００４９】
また、停止ボタン４２が操作された場合、キー入力部３２は、停止ボタン４２に対応する入力データを生成する。処理制御部６１は、ステップＳＴ２において、入力ボタンが停止ボタン４２であると判断し、ステップＳＴ５〜ＳＴ７で停止制御を実行する。
【００５０】
停止制御では、処理制御部６１は、まず、駆動ユニット１５、信号処理部１８および再生信号生成部１９に停止を指示する（ステップＳＴ５）。これにより、スピンドルサーボ制御部１３は、光ディスク２の回転を停止し、駆動ユニット１５は、光ピックアップ１４をホームポジションへ移動し、信号処理部１８および再生信号生成部１９は、動作を停止する。再生信号生成部１９は、映像および音声の再生信号を生成しなくなる。モニタ３の表示は消え、スピーカ４から音が出力されなくなる。これにより、実行モードが停止モードとなる。
【００５１】
その後、処理制御部６１は、表示パネル３１の表示を、停止モードに対応した表示に更新し（ステップＳＴ６）、ＲＡＭ３４に記憶される実行モード情報６２を、「停止モード」に更新する（ステップＳＴ７）。
【００５２】
また、ＦＦボタン４４が操作された場合、キー入力部３２は、ＦＦボタン４４に対応する入力データを生成する。処理制御部６１は、ステップＳＴ２において、入力ボタンがＦＦボタン４４であると判断し、ステップＳＴ５〜ＳＴ７でＦＦ制御を実行する。
【００５３】
ＦＦ制御の開始時には、処理制御部６１は、まず、駆動ユニット１５、信号処理部１８および再生信号生成部１９に起動を指示する。処理制御部６１は、ＦＦ／ＦＢ速度テーブル５１から、速度値が最も小さい、「１」の数字ボタン４６に対応する速度値を読み込み、その速度値の早送り速度となるように、駆動ユニット１５および再生信号生成部１９を制御する（ステップＳＴ５）。これにより、実行モードがＦＦモードとなる。その際、たとえば、駆動ユニット１５は、所定の再生速度の速度値が指定されると、その速度値に応じたトラックジャンプ動作をし、光ピックアップ１４が光ディスク２に記録されるデータを離散するトラックごとに読み取る。
【００５４】
なお、処理制御部６１は、ＦＦボタン４４が操作されたときの実行モード情報６２が再生モードやＦＢモードである場合には、駆動ユニット１５、信号処理部１８および再生信号生成部１９に対する起動指示をすることなく、再生信号生成部１９に対して、早送りの最小速度値を指示すればよい。
【００５５】
ＦＦモードになると、処理制御部６１は、表示パネル３１の表示を、ＦＦモードに対応した表示に更新する（ステップＳＴ６）。その際、処理制御部６１は、その時点の早送り速度の情報（例えば、その早送り速度に対応する数字ボタン４６の数字）を併せて表示パネル３１に表示させる。また、処理制御部６１は、ＲＡＭ３４に記憶される実行モード情報６２を、「ＦＦ（早送り）モード」に更新する（ステップＳＴ７）。
【００５６】
また、再生速度の速度値が指定された再生信号生成部１９は、ＲＦデータに含まれるコンテンツのフレームを、その早送り速度で再生する映像の再生信号を生成する。再生信号生成部１９は、たとえば、コンテンツの複数のフレームから指定された速度値の個数毎に１つずつ抜き出したフレームで構成される映像の再生信号を生成する。モニタ３には、この映像の再生信号に基づいて、光ディスク２に記録されたコンテンツを、その早送り速度で表示する画像が表示される。たとえば、光ディスク２に動画および音声からなるコンテンツが記録されている場合、モニタ３には、その動画を、速度値に応じて間引いた動画が表示される。
【００５７】
なお、ＦＦ制御時、再生信号生成部１９は、音声の再生信号を生成しない。これにより、スピーカ４から音声は出力されない。音声はミュートされる。この他にもたとえば、再生信号生成部１９は、ＦＦ制御時の速度値に応じた速度で音声の再生信号を生成するようにしてもよい。再生信号生成部１９は、たとえば速度値が「２」などと小さいときには、音声の再生信号を生成するようにしてもよい。これにより、スピーカ４からは、速度値に応じた速度の音声が出力される。人間の耳は、時間軸上で２分の１程度に圧縮されたとしても、その音声を聞き取ることができる。
【００５８】
また、ＦＢボタン４３が操作された場合、キー入力部３２は、ＦＢボタン４３に対応する入力データを生成する。処理制御部６１は、ステップＳＴ２の判断において、入力ボタンがＦＢボタン４３であると判断し、ステップＳＴ５〜ＳＴ７でＦＢ制御を実行する。
【００５９】
なお、ＦＢ制御の開始時の処理制御部６１の処理内容は、上述したＦＦ制御の開始時の処理制御部６１の処理内容と略同様であり、詳細な説明を省略する。但し、ＦＢ制御の場合にはＦＦ制御の場合と異なり、再生信号生成部１９は、光ディスク２に記録されたコンテンツの複数のフレームから、最小の再生速度の速度値に応じた個数ごとに１つずつ抜き出し、且つ、逆順に再生する映像の再生信号を生成する。モニタ３には、この映像の再生信号に基づく逆順再生の動画などが表示される。また、表示パネル３１の表示は、ＦＢモードに対応した表示に更新され、ＲＡＭ３４に記憶される実行モード情報６２は、「ＦＢ（早戻し）モード」に更新される。
【００６０】
以上の制御により、光ディスク再生装置１は、再生ボタン４１、停止ボタン４２、ＦＦボタン４４あるいはＦＢボタン４３が操作されると、最後に操作されたボタンに対応するモードで動作する。ＲＡＭ３４にはそのモードを示す実行モード情報６２が記憶される。
【００６１】
次に、テンキーユニット４５の、０から９までの１０個の数字ボタン４６が操作された場合について説明する。
【００６２】
１から９までの数字ボタン４６の中の１つの数字ボタン４６が操作されると、キー入力部３２は、操作された数字ボタン４６に対応する入力データを生成する。処理制御部６１は、ステップＳＴ３において、入力ボタンが１から９までの数字ボタン４６であると判断し、ステップＳＴ８からＳＴ１１の速度制御を実行する。
【００６３】
処理制御部６１は、まず、ＲＡＭ３４から、実行モード情報６２を読み込み、実行モード情報６２の示す実行モードがＦＦモードあるいはＦＢモードであるか否かを判断する（ステップＳＴ８）。実行モード情報６２がＦＦモードでもＦＢモードでも無い場合、処理制御部６１は、キー入力の有無判断ステップ（ステップＳＴ１）へ戻る。なお、この場合、処理制御部６１は、操作されたボタンに応じた処理を適宜行うようにしてもよい。
【００６４】
記憶されている実行モードがＦＦモードあるいはＦＢモードである場合、処理制御部６１は、ＦＦ／ＦＢ速度テーブル５１から、操作された数字ボタン４６の数値に対応付けられている速度値を読み込む（ステップＳＴ９）。処理制御部６１は、読み込んだ速度値の早送り（ＦＦモードの場合）または早戻し（ＦＢモードの場合）となるように、駆動ユニット１５および再生信号生成部１９を制御する（ステップＳＴ１０）。その後、処理制御部６１は、その数字ボタン４６の数値を表示パネル３１に表示させ（ステップＳＴ１１）、キー入力の有無判断ステップ（ステップＳＴ１）へ戻る。
【００６５】
再生信号生成部１９は、指定される再生速度の速度値が変更されると、ＲＦデータに含まれるコンテンツのフレームを、更新された再生速度の速度値に応じて再生する映像の再生信号を生成する。モニタ３には、この映像の再生信号に基づいて、変更された速度値で画像が表示される。
【００６６】
このようにモニタ３に表示される画像の早送り速度および早戻し速度は、数字ボタン４６の操作に応じて増減する。たとえば、１の数字ボタン４６に対応する再生速度の速度値で早送り再生している最中に、５の数字ボタン４６が操作された場合、モニタ３に表示される画像の再生速度は、それまでの速度の５（＝１０／２）倍の速度へ変更される。つまり、ＦＦモードにおいては、１から９までの数字ボタン４６が操作されると、その操作だけで早送り速度および早戻し速度が変更される。
【００６７】
また、０の数字ボタン４６が操作されると、キー入力部３２は、操作された数字ボタン４６に対応する入力データを生成する。処理制御部６１は、ステップＳＴ４において、入力ボタンが０の数字ボタン４６であると判断し、ステップＳＴ１２〜ＳＴ１５の再生復帰制御を実行する。
【００６８】
処理制御部６１は、まず、ＲＡＭ３４から、実行モード情報６２を読み込み、実行モード情報６２がＦＦモードあるいはＦＢモードであるか否かを判断する（ステップＳＴ１２）。実行モード情報６２がＦＦモードでもＦＢモードでも無い場合、処理制御部６１は、キー入力の有無判断ステップ（ステップＳＴ１）へ戻る。
【００６９】
記憶されている実行モード情報６２がＦＦモードあるいはＦＢモードである場合、処理制御部６１は、再生モードでの制御を開始する。処理制御部６１は、具体的には、駆動ユニット１５および再生信号生成部１９に対する早送りまたは早戻しの制御を止める（ステップＳＴ１３）。
【００７０】
これにより、再生モードの場合として上述したように、動画や音声が再生される。
【００７１】
その後、処理制御部６１は、ＲＡＭ３４に記憶される実行モード情報６２を「再生モード」に更新し（ステップＳＴ１４）、表示パネル３１に再生モードに応じた表示を表示させ（ステップＳＴ１５）、キー入力の有無判断ステップ（ステップＳＴ１）へ戻る。
【００７２】
以上のように、この実施の形態では、処理制御部６１は、早送りあるいは早戻し動作中に、１から９までの数字ボタン４６が操作されたら、その操作された数字ボタン４６に予め対応付けられた所定の速度での早送りまたは早戻しの動作を指示する。したがって、ユーザは、ＦＦボタン４４またはＦＢボタン４３を何度も操作することなく、テンキーユニット４５の中の所定の数字ボタン４６を操作するだけで、早送りおよび早戻しの速度を直接指定し、所望の速度へ素早く変更することができる。ユーザは、少ない操作回数でストレスなく、早送りおよび早戻しの速度を変更することができる。
【００７３】
また、この実施の形態では、処理制御部６１は、早送りおよび早戻しの動作中に０の数字ボタン４６が操作されたら、早送りおよび早戻しの制御を終了させ、再生動作を指示する。したがって、テンキーユニット４５の数字ボタン４６を操作することで、早送りおよび早戻しの速度を変更するユーザは、そのテンキーユニット４５の中の０の数字ボタン４６を操作することで、再生を開始させることができる。ユーザは、テンキーユニット４５を操作することで、素早く早送りおよび早戻し速度を変更し、且つ、早送りまたは早戻しから再生へ素早く移行する操作をすることができる。
【００７４】
また、この実施の形態では、処理制御部６１は、早送り動作中にＦＢボタン４３が操作されたら、指定可能な早戻し速度のうち、１の数字ボタン４６に対応する最低速度での早戻し動作を指示し、早戻しの動作中にＦＦボタン４４が操作されたら、指定可能な早送り速度のうち、１の数字ボタン４６に対応する最低速度での早送り動作を指示する。したがって、ユーザは、ＦＦボタン４４およびＦＢボタン４３を操作するだけで、素早く、早送りと早戻しとの間で切り替えることができる。しかも、早送りから早戻しへ切り替えた直後の速度および早戻しから早送りへ切り替えた直後の速度は、それまでの速度に関係なく、１の数字ボタン４６に対応する最低速度とされる。そのため、たとえば高速の早送りによりユーザが目標とする再生位置を過ぎてしまったときには、その所望の位置へゆっくりと戻すことができる。
【００７５】
また、この実施の形態では、再生信号生成部１９は、早送りあるいは早戻し動作中にも、その速度に応じた映像の再生信号を生成する。モニタ３は、この映像の再生信号に基づき、早送りあるいは早戻しの画像を表示する。したがって、光ディスク２の早送りあるいは早戻し動作中に再生されるコンテンツにより、ユーザは、目標とする再生位置を容易に特定することができる。
【００７６】
以上の実施の形態は、本発明の好適な実施の形態の例であるが、本発明は、これに限定されるものではなく、発明の要旨を逸脱しない範囲において種々の変形、変更が可能である。
【００７７】
たとえば上記実施の形態では、処理制御部６１は、早送り動作あるいは早戻し動作中に、１から９までの数字ボタン４６が操作されると、その数字ボタン４６に対応する速度値をＦＦ／ＦＢ速度テーブル５１から読み込み、その数字ボタン４６に対応する速度値を駆動ユニット１５および再生信号生成部１９に指定して、早送りおよび早戻しの速度を制御している。
【００７８】
この他にもたとえば、処理制御部６１は、早送りおよび早戻しの動作中に１から９までの数字ボタン４６が操作されたら、ＦＦ／ＦＢ速度テーブル５１において、現在の速度から、操作された数字ボタン４６に対応する速度までの速度に関する値を、現在の速度側から順番に１つずつ読み込み、その読み込みの度に、読み込んだ速度での早送りまたは早戻しの動作を指示するようにしてもよい。
【００７９】
ＦＦ／ＦＢ速度テーブル５１において、複数の速度値は、対応する数字ボタン４６の数値が大きくなるほど速度が大きくなる順番で複数の数字ボタン４６に対応付けられている。したがって、この変形例では、早送りおよび／または早戻しの速度は、ＦＦ／ＦＢ速度テーブル５１に基づいて、現在の速度から操作により指定された速度まで段階的に変化する。コンテンツの再生速度も、ユーザが指定した速度まで段階的に増減する。その結果、再生速度が急激に変化しなくなり、ユーザが早送りあるいは早戻し再生されているコンテンツの位置を分らなくなってしまう恐れが少なくなる。
【００８０】
上記実施の形態では、テンキーユニット４５の１から９までの数字ボタン４６に、再生速度の速度値を対応付け、且つ、０の数字ボタン４６に、再生モードを対応付けている。この他にもたとえば、テンキーユニット４５の複数の数字ボタン４６には、速度値のみを対応付けたり、速度値とともに、停止モード、早送りモード、早戻しモードを対応付けたりしてもよい。後者の場合、テンキーユニット４５のみで、速度の切替および送り方向の切替を操作することができる。また、１０個の数字ボタン４６の中の一部にのみ、これらの速度値や実行モードを対応付けるようにしてもよい。
【００８１】
上記実施の形態では、キー入力部３２や表示パネル３１は、光ディスク装置１の本体に設けられている。この他にもたとえば、キー入力部３２や表示パネル３１は、光ディスク装置１の本体に対して赤外線や電波などにより信号を送受するリモートコントローラに設けられていてもよい。
【００８２】
上記実施の形態では、光ディスクに記録されたコンテンツを再生する光ディスク再生装置を例として説明している。この他にもたとえば、再生装置は、ハードディスクなどの磁気ディスク、光磁気ディスクなどに記録されたコンテンツを再生するディスク再生装置であってもよい。
【産業上の利用可能性】
【００８３】
本発明は、光ディスクに記録されたコンテンツを再生する光ディスク再生装置などに利用することができる。
【図面の簡単な説明】
【００８４】
【図１】図１は、本発明の実施の形態に係る光ディスク再生装置を示すハードウェア構成図である。
【図２】図２は、図１中の制御部の詳細な構成を示すハードウェア構成図である。
【図３】図３は、図２中のＦＦ／ＦＢ速度テーブルのデータ構造を示す説明図である。
【図４】図４は、図１の光ディスク再生装置に実現される機能を示すブロック図である。
【図５】図５は、入力データに基づく処理制御部の動作を示すフローチャートである。
【符号の説明】
【００８５】
１  光ディスク再生装置（再生装置）
２３  復調回路（再生手段）
３２  キー入力部（ボタン入力手段）
３３  メモリ（記憶手段）
４３  ＦＢボタン（早戻しボタン）
４４  ＦＦボタン（早送りボタン）
４５  テンキーユニット
４６  数字ボタン
５１  ＦＦ／ＦＢ速度テーブル（速度テーブル）
６１  処理制御部（制御手段）
【図１】
2007128604.tif 000003
【図２】
2007128604.tif 000004
【図３】
2007128604.tif 000005
【図４】
2007128604.tif 000006
【図５】
2007128604.tif 000007